(57)【要約】【課題】異なる無線通信システム間を、中継装置等を介して有線で接続することなく切り換えることのできる無線通信システムを提供すること。【解決手段】無線通信システムＡの基地局１０４と、基地局１０４と非同期に動作する無線通信システムＢの基地局１０６と、無線通信システムＡおよび無線通信システムＢの両方と通信可能である移動局１０１とを有する無線通信システムである。基地局１０４は、移動局１０１との間で電波を送受信する無線部と、無線通信システムＢのシステム情報を推定し、システム推定情報を出力するシステム情報推定部とを備える。基地局１０４の無線部から、基地局１０６についてのシステム推定情報を移動局１０１に報知する。移動局１０１は、あらかじめ基地局１０６についてのシステム推定情報を受けていることにより、無線通信システムＡから無線通信システムＢに効率良く切り換わる。【選択図】図１
2005130473.tif 000002
【特許請求の範囲】
【請求項１】
第１の無線通信システムの基地局と、前記第１の無線通信システムの基地局が通信を行うセルに近接または重複するセルを有し前記第1の無線通信システムの基地局と非同期に動作する第２の無線通信システムの基地局と、前記第１の無線通信システムおよび前記第２の無線通信システムの両方と通信可能である移動局とを有する無線通信システムであって、
前記移動局が、
前記第１の無線通信システムおよび前記第２の無線通信システムのそれぞれの電波を受信する無線部と、
前記第２の無線通信システムのシステム情報を検出し、システム検出情報を出力するシステム情報検出部と、を備え、
前記第１の無線通信システムの基地局が、
前記移動局から送信された前記システム検出情報を記憶する記憶部を備え、
前記第１の無線通信システムの基地局から、前記第１の無線通信システムの基地局が通信を行うセル内に存在する移動局に、前記システム検出情報を報知することで、異なる無線システム間の切り換えを行う無線通信システム。
【請求項２】
前記移動局が、
前記移動局の位置情報を検出する位置検出部を備え、
前記第１の無線通信システムの基地局が、
前記移動局から送信された前記システム検出情報および前記位置情報を記憶する記憶部を備え、
前記第１の無線通信システムの基地局から、前記第１の無線通信システムの基地局が通信を行うセル内に存在する移動局に、前記システム検出情報および前記位置情報を報知することで、異なる無線システム間の切り換えを行う請求項１に記載の無線通信システム。
【請求項３】
第１の無線通信システムの基地局と、前記第１の無線通信システムの基地局が通信を行うセルに近接または重複するセルを有し前記第１の無線通信システムの基地局と非同期に動作する第２の無線通信システムの基地局と、前記第１の無線通信システムおよび前記第２の無線通信システムの両方と通信可能である移動局とを有する無線通信システムであって、
前記移動局が、
前記第１の無線通信システムおよび前記第２の無線通信システムのそれぞれの電波を受信する無線部と、
前記第２の無線通信システムのシステム情報を推定し、システム推定情報を出力するシステム情報推定部と、を備え、
前記第１の無線通信システムの基地局が、
前記移動局から送信された前記システム推定情報を記憶する記憶部を備え、
前記第１の無線通信システムの基地局から、前記第１の無線通信システムの基地局が通信を行うセル内に存在する移動局に、前記システム推定情報を報知することで、異なる無線通信システム間の切り換えを行う無線通信システム。
【請求項４】
前記移動局が、
前記移動局の位置情報を検出する位置検出部を備え、
前記第１の無線通信システムの基地局が、
前記移動局から送信された前記システム推定情報および前記位置情報を記憶する記憶部を備え、
前記第１の無線通信システムの基地局から、前記第１の無線通信システムの基地局が通信を行うセル内に存在する移動局に、前記システム推定情報および前記位置情報を報知す
ることで、異なる無線通信システム間の切り換えを行う請求項３に記載の無線通信システム。
【請求項５】
前記位置検出部が絶対位置情報を検出する請求項２または請求項４に記載の無線通信システム。
【請求項６】
前記位置検出部が前記基地局からの相対位置情報を検出する請求項２または請求項４に記載の無線通信システム。
【請求項７】
第１の無線通信システムの第１の基地局と、前記第１の基地局が通信を行うセルに近接または重複するセルを有し前記第１の基地局と非同期に動作する第２の無線通信システムの第２の基地局と、前記第１の無線通信システムおよび前記第２の無線通信システムの両方と通信可能である移動局と、を備える無線通信システムにおける基地局であって、
前記第１の基地局が、
前記第２の基地局からの電波を受信する他システム受信部と、
前記他システム受信部の出力から前記第２の無線通信システムのシステム情報を推定するシステム情報推定部と、
前記システム情報推定部の出力であるシステム推定情報を記憶する記憶部と、を備え、
前記第１の基地局から、前記第１の基地局が通信を行う前記移動局に、前記第２の基地局の前記システム推定情報を報知することで、異なる無線通信システム間の切り換えを行う基地局。
【請求項８】
第１の無線通信システムの基地局、および前記第１の無線通信システムの基地局が通信を行うセルに近接または重複するセルを有し前記第1の無線通信システムの基地局と非同期に動作する第２の無線通信システムの基地局の両方と通信可能である移動局であって、
前記第１の無線通信システムおよび前記第２の無線通信システムのそれぞれの電波を受信する無線部と、
前記第２の無線通信システムのシステム情報を検出し、システム検出情報を出力するシステム情報検出部と、を備え、
前記第１の無線通信システムの基地局と通信を行う場合、前記第１の無線通信システムの基地局に、前記システム検出情報を報知することで、異なる無線通信システム間の切り換えを行う移動局。
【請求項９】
前記移動局の位置情報を検出する位置検出部を備え、
前記第１の無線通信システムの基地局と通信を行う場合、前記第１の無線通信システムの基地局に、前記システム検出情報および前記位置情報を報知することで、異なる無線通信システム間の切り換えを行う請求項８に記載の移動局。
【請求項１０】
前記位置検出部が絶対位置情報を検出する請求項９に記載の移動局。
【請求項１１】
前記位置検出部が前記基地局からの相対位置情報を検出する請求項９に記載の移動局。
【請求項１２】
第１の無線通信システムの基地局、および前記第１の無線通信システムの基地局が通信を行うセルに近接または重複するセルを有し前記第1の無線通信システムの基地局と非同期に動作する第２の無線通信システムの基地局の両方と通信可能である移動局であって、
前記第１の無線通信システムおよび前記第２の無線通信システムのそれぞれの電波を受信する無線部と、
前記第２の無線通信システムのシステム情報を検出し、システム検出情報を出力するシステム情報検出部と、
前記システム情報検出部から出力された前記システム検出情報を記憶する記憶部と、を
備え、
前記第１の無線通信システムの基地局と通信を行っていない場合、前記記憶部に前記システム検出情報を記憶しておき、前記第２の無線通信システムの基地局との通信が終了したとき、前記記憶部に記憶された前記システム検出情報を前記第１の無線通信システムの基地局に報知することで、異なる無線通信システム間の切り換えを行う移動局。
【請求項１３】
前記移動局の位置情報を検出する位置検出部を備え、
前記第１の無線通信システムの基地局と通信を行っていない場合、前記記憶部に前記システム検出情報を記憶しておき、前記第２の無線通信システムの基地局との通信が終了したとき、前記記憶部に記憶された前記システム検出情報および前記位置情報を前記第１の無線通信システムの基地局に報知することで、異なる無線通信システム間の切り換えを行う請求項１２に記載の移動局。
【請求項１４】
前記位置検出部が絶対位置情報を検出する請求項１３に記載の移動局。
【請求項１５】
前記位置検出部が前記基地局からの相対位置情報を検出する請求項１３に記載の移動局。
【請求項１６】
第１の無線通信システムの基地局、および前記第１の無線通信システムの基地局が通信を行うセルに近接または重複するセルを有し前記第1の無線通信システムの基地局と非同期に動作する第２の無線通信システムの基地局の両方と通信可能である移動局であって、
前記第１の無線通信システムおよび前記第２の無線通信システムのそれぞれの電波を受信する無線部と、
前記第２の無線通信システムのシステム情報を推定し、システム推定情報を出力するシステム情報推定部と、を備え、
前記第１の無線通信システムの基地局と通信を行う場合、前記第１の無線通信システムの基地局に、前記システム推定情報を報知することで、異なる無線通信システム間の切り換えを行う移動局。
【請求項１７】
前記移動局の位置情報を検出する位置検出部を備え、
前記第１の無線通信システムの基地局と通信を行う場合、前記第１の無線通信システムの基地局に、前記システム推定情報および前記位置情報を報知することで、異なる無線通信システム間の切り換えを行う請求項１６に記載の移動局。
【請求項１８】
前記位置検出部が絶対位置情報を検出する請求項１７に記載の移動局。
【請求項１９】
前記位置検出部が前記基地局からの相対位置情報を検出する請求項１７に記載の移動局。
【請求項２０】
第１の無線通信システムの基地局、および前記第１の無線通信システムの基地局が通信を行うセルに近接または重複するセルを有し前記第1の無線通信システムの基地局と非同期に動作する第２の無線通信システムの基地局の両方と通信可能である移動局であって、
前記第１の無線通信システムおよび前記第２の無線通信システムのそれぞれの電波を受信する無線部と、
前記第２の無線通信システムのシステム情報を推定し、システム推定情報を出力するシステム情報推定部と、
前記システム情報推定部から出力された前記システム推定情報を記憶する記憶部と、を備え、
前記第１の無線通信システムの基地局と通信を行っていない場合、前記記憶部に前記システム推定情報を記憶しておき、前記第２の無線通信システムの基地局との通信が終了し
たとき、前記記憶部に記憶された前記システム推定情報を前記第１の無線通信システムの基地局に報知することで、異なる無線通信システム間の切り換えを行う移動局。
【請求項２１】
前記移動局の位置情報を検出する位置検出部を備え、
前記第１の無線通信システムの基地局と通信を行っていない場合、前記記憶部に前記システム検出情報を記憶しておき、前記第２の無線通信システムの基地局との通信が終了したとき、前記記憶部に記憶された前記システム推定情報および前記位置情報を前記第１の無線通信システムの基地局に報知することで、異なる無線通信システム間の切り換えを行う請求項２０に記載の移動局。
【請求項２２】
前記位置検出部が絶対位置情報を検出する請求項２１に記載の移動局。
【請求項２３】
前記位置検出部が前記基地局からの相対位置情報を検出する請求項２１に記載の移動局。
【発明の詳細な説明】
【技術分野】
【０００１】
本発明は、複数の異なる無線通信システム、前記無線通信システムの基地局、および複数の異なる無線通信システムに対して通信が可能な移動局に関する。
【背景技術】
【０００２】
従来の無線通信システムとしては、特許文献１に記載のものがある。図９は、前記特許文献１に記載された従来の無線通信システムを示すものである。図９において、従来の無線通信システムは、マルチモード無線機８０１、有線ネットワーク８０２、有線電話機８０３、無線通信システムＡのネットワーク８０４、無線通信システムＡの基地局８０５、無線通信システムＡのセル８０６、無線通信システムＢのネットワーク８０７、無線通信システムＢの基地局８０８、無線通信システムＢのセル８０９、および無線通信システムＡの基地局８０５と無線通信システムＢの基地局８０８とを中継する中継装置８１０からなる。
【０００３】
マルチモード無線機８０１は、無線通信システムＡおよび無線通信システムＢによる通信が可能である。無線通信システムＡのセル８０６と無線通信システムＢのセル８０９とは、近接または重複している。無線通信システムＡの基地局８０５は、セル内のチャネル占有状況や位置登録の情報等を適切な時間でモニタしたモニタ情報、および無線通信システムＡの制御チャネル等のシステム情報を、中継装置８１０を経て、無線通信システムＢの基地局８０８に伝送している。同様に、無線通信システムＢの基地局８０８も、セル内のチャネル占有状況や位置登録の情報等を適切な時間でモニタしたモニタ情報、および無線通信システムＢの制御チャネル等のシステム情報を、中継装置８１０を経て、無線通信システムＡの基地局８０５に伝送している。
【０００４】
マルチモード無線機８０１が、無線通信システムＡで通信または着信待ちの状態で無線通信システムＡのセル８０６内に移動したとき、マルチモード無線機８０１に無線通信システムＡの基地局８０５から、無線通信システムＢの基地局８０８から伝送されたモニタ情報、および無線通信システムＢのシステム情報が送信される。
【０００５】
これにより、マルチモード無線機８０１は、切り換え可能な無線通信システムの基地局のモニタ情報およびシステム情報をあらかじめ得ることができ、これらの情報を利用し無線通信システムＢへの切り換えが効率良く行えるとしていた。
【特許文献１】特開２０００−９２５４１号公報（第２−５頁、図１）
【発明の開示】
【発明が解決しようとする課題】
【０００６】
しかしながら、前記従来の無線通信システムでは、マルチモード無線機８０１が、切り換え先となる無線通信システムＢの基地局８０８からの情報を得るには、無線通信システムＢの基地局８０８から中継装置８１０を介して無線通信システムＡの基地局８０５への情報提供が不可欠であり、そのためには中継装置８１０を介して基地局８０５および基地局８０８とを有線で接続する必要があった。また、無線通信システムＡのセル８０６および無線通信システムＢのセル８０９内に無線通信システムＣの基地局を新しく設置する場合に、無線通信システムＡの基地局８０５と無線通信システムＢの基地局８０８に無線通信システムＣのシステム情報を提供するために、中継装置を新規に設置し有線により接続する必要があった。
【０００７】
本発明は、異なる複数の無線通信システム間を、中継装置等を介して有線により接続す
ることなく切り換えることのできる無線通信システムを提供することを目的とする。
【課題を解決するための手段】
【０００８】
本発明の無線通信システムは、第１に、第１の無線通信システムの基地局と、前記第１の無線通信システムの基地局が通信を行うセルに近接または重複するセルを有し前記第1の無線通信システムの基地局と非同期に動作する第２の無線通信システムの基地局と、前記第１の無線通信システムおよび前記第２の無線通信システムの両方と通信可能である移動局とを有する無線通信システムであって、前記移動局が、前記第１の無線通信システムおよび前記第２の無線通信システムのそれぞれの電波を受信する無線部と、前記第２の無線通信システムのシステム情報を検出し、システム検出情報を出力するシステム情報検出部とを備え、前記第１の無線通信システムの基地局が、前記移動局から送信された前記システム検出情報を記憶する記憶部を備え、前記第１の無線通信システムの基地局から、前記第１の無線通信システムの基地局が通信を行うセル内に存在する移動局に、前記システム検出情報を報知することで、異なる無線システム間の切り換えを行う。
【０００９】
このことによって、本発明は、異なる無線通信システム間を、中継装置等を介して接続することなく効率良く切り換えることができる。また、基地局が新しく設置された場合にも、その無線通信システムのシステム情報を検出することにより、その基地局の存在を自律的に検出することができる。
【００１０】
本発明の無線通信システムは、第２に、第１の発明において、前記移動局が、前記移動局の位置情報を検出する位置検出部を備え、前記第１の無線通信システムの基地局が、前記移動局から送信された前記システム検出情報および前記位置情報を記憶する記憶部を備え、前記第１の無線通信システムの基地局から、前記第１の無線通信システムの基地局が通信を行うセル内に存在する移動局に、前記システム検出情報および前記位置情報を報知することで、異なる無線システム間の切り換えを行う。
【００１１】
このことよって、本発明は、移動局が存在する位置で、通信可能な異なる無線通信システムに効率良く切り換えることができる。
【００１２】
本発明の無線通信システムは、第３に、第１の無線通信システムの基地局と、前記第１の無線通信システムの基地局が通信を行うセルに近接または重複するセルを有し前記第１の無線通信システムの基地局と非同期に動作する第２の無線通信システムの基地局と、前記第１の無線通信システムおよび前記第２の無線通信システムの両方と通信可能である移動局とを有する無線通信システムであって、前記移動局が、前記第１の無線通信システムおよび前記第２の無線通信システムのそれぞれの電波を受信する無線部と、前記第２の無線通信システムのシステム情報を推定し、システム推定情報を出力するシステム情報推定部とを備え、前記第１の無線通信システムの基地局が、前記移動局から送信された前記システム推定情報を記憶する記憶部を備え、前記第１の無線通信システムの基地局から、前記第１の無線通信システムの基地局が通信を行うセル内に存在する移動局に、前記システム推定情報を報知することで、異なる無線通信システム間の切り換えを行う。
【００１３】
このことによって、本発明は、異なる無線通信システム間を、中継装置等を介して接続することなく効率良く切り換えることができる。また、基地局が新しく設置された場合にも、その無線通信システムのシステム情報を推定することにより、その基地局の存在を自律的に推定することができる。
【００１４】
本発明の無線通信システムは、第４に、第３の発明において、前記移動局が、前記移動局の位置情報を検出する位置検出部を備え、前記第１の無線通信システムの基地局が、前記移動局から送信された前記システム推定情報および前記位置情報を記憶する記憶部を備
え、前記第１の無線通信システムの基地局から、前記第１の無線通信システムの基地局が通信を行うセル内に存在する移動局に、前記システム推定情報および前記位置情報を報知することで、異なる無線通信システム間の切り換えを行う。
【００１５】
このことよって、本発明は、移動局が存在する位置で、通信可能な異なる無線通信システムに効率良く切り換えることができる。
【００１６】
本発明の無線通信システムは、第５に、第２の発明または第４の発明において、前記位置検出部が絶対位置情報を検出する。
【００１７】
このことよって、本発明は、移動局が絶対位置情報を検出することができる。
【００１８】
本発明の無線通信システムは、第６に、第２の発明または第４の発明において、前記位置検出部が前記基地局からの相対位置情報を検出する。
【００１９】
このことよって、本発明は、移動局が基地局からの相対位置情報を検出することができる。
【００２０】
本発明の基地局は、第７に、第１の無線通信システムの第１の基地局と、前記第１の基地局が通信を行うセルに近接または重複するセルを有し前記第１の基地局と非同期に動作する第２の無線通信システムの第２の基地局と、前記第１の無線通信システムおよび前記第２の無線通信システムの両方と通信可能である移動局とを備える無線通信システムにおける基地局であって、前記第１の基地局が、前記第２の基地局からの電波を受信する他システム受信部と、前記他システム受信部の出力から前記第２の無線通信システムのシステム情報を推定するシステム情報推定部と、前記システム情報推定部の出力であるシステム推定情報を記憶する記憶部とを備え、前記第１の基地局から、前記第１の基地局が通信を行う前記移動局に、前記第２の基地局の前記システム推定情報を報知することで、異なる無線通信システム間の切り換えを行う。
【００２１】
このことによって、本発明は、異なる無線通信システム間を、中継装置等を介して接続することなく効率良く切り換えることができる。また、基地局が新しく設置された場合にも、その無線通信システムのシステム情報を推定することにより、その基地局の存在を自律的に推定することができる。
【００２２】
本発明の移動局は、第８に、第１の無線通信システムの基地局、および前記第１の無線通信システムの基地局が通信を行うセルに近接または重複するセルを有し前記第1の無線通信システムの基地局と非同期に動作する第２の無線通信システムの基地局の両方と通信可能である移動局であって、前記第１の無線通信システムおよび前記第２の無線通信システムのそれぞれの電波を受信する無線部と、前記第２の無線通信システムのシステム情報を検出し、システム検出情報を出力するシステム情報検出部とを備え、前記第１の無線通信システムの基地局と通信を行う場合、前記第１の無線通信システムの基地局に、前記システム検出情報を報知することで、異なる無線通信システム間の切り換えを行う。
【００２３】
このことによって、本発明は、異なる無線通信システム間を、中継装置等を介して接続することなく効率良く切り換えることができる。また、基地局が新しく設置された場合にも、その無線通信システムのシステム情報を検出することにより、その基地局の存在を自律的に検出することができる。
【００２４】
本発明の移動局は、第９に、第８の発明において、前記移動局の位置情報を検出する位置検出部を備え、前記第１の無線通信システムの基地局と通信を行う場合、前記第１の無
線通信システムの基地局に、前記システム検出情報および前記位置情報を報知することで、異なる無線通信システム間の切り換えを行う。
【００２５】
このことよって、本発明は、移動局が存在する位置で、通信可能な異なる無線通信システムに効率良く切り換えることができる。
【００２６】
本発明の移動局は、第１０に、第９の発明において、前記位置検出部が絶対位置情報を検出する。
【００２７】
このことよって、本発明は、移動局が絶対位置情報を検出することができる。
【００２８】
本発明の移動局は、第１１に、第９の発明において、前記位置検出部が前記基地局からの相対位置情報を検出する。
【００２９】
このことよって、本発明は、移動局が基地局からの相対位置情報を検出することができる。
【００３０】
本発明の移動局は、第１２に、第１の無線通信システムの基地局、および前記第１の無線通信システムの基地局が通信を行うセルに近接または重複するセルを有し前記第1の無線通信システムの基地局と非同期に動作する第２の無線通信システムの基地局の両方と通信可能である移動局であって、前記第１の無線通信システムおよび前記第２の無線通信システムのそれぞれの電波を受信する無線部と、前記第２の無線通信システムのシステム情報を検出し、システム検出情報を出力するシステム情報検出部と、前記システム情報検出部から出力された前記システム検出情報を記憶する記憶部とを備え、前記第１の無線通信システムの基地局と通信を行っていない場合、前記記憶部に前記システム検出情報を記憶しておき、前記第２の無線通信システムの基地局との通信が終了したとき、前記記憶部に記憶された前記システム検出情報を前記第１の無線通信システムの基地局に報知することで、異なる無線通信システム間の切り換えを行う。
【００３１】
このことによって、本発明は、異なる無線通信システム間を、中継装置等を介して接続することなく効率良く切り換えることができる。また、基地局が新しく設置された場合にも、その無線通信システムのシステム情報を検出することにより、その基地局の存在を自律的に検出することができる。また、第１の無線通信システムの基地局と通信を行っていない場合、第２の無線通信システムのシステム情報を記憶部に記憶しておくことにより、第２の無線通信システムの基地局との通信が終了したとき、第１の無線通信システムへの切り換えを行うことができる。
【００３２】
本発明の移動局は、第１３に、第１２の発明において、前記移動局の位置情報を検出する位置検出部を備え、前記第１の無線通信システムの基地局と通信を行っていない場合、前記記憶部に前記システム検出情報を記憶しておき、前記第２の無線通信システムの基地局との通信が終了したとき、前記記憶部に記憶された前記システム検出情報および前記位置情報を前記第１の無線通信システムの基地局に報知することで、異なる無線通信システム間の切り換えを行う。
【００３３】
このことよって、本発明は、移動局が存在する位置で、通信可能な異なる無線通信システムに効率良く切り換えることができる。
【００３４】
本発明の移動局は、第１４に、第１３の発明において、前記位置検出部が絶対位置情報を検出する。
【００３５】
このことよって、本発明は、移動局が絶対位置情報を検出することができる。
【００３６】
本発明の移動局は、第１５に、第１３の発明において、前記位置検出部が前記基地局からの相対位置情報を検出する。
【００３７】
このことよって、本発明は、移動局が基地局からの相対位置情報を検出することができる。
【００３８】
本発明の移動局は、第１６に、第１の無線通信システムの基地局、および前記第１の無線通信システムの基地局が通信を行うセルに近接または重複するセルを有し前記第1の無線通信システムの基地局と非同期に動作する第２の無線通信システムの基地局の両方と通信可能である移動局であって、前記第１の無線通信システムおよび前記第２の無線通信システムのそれぞれの電波を受信する無線部と、前記第２の無線通信システムのシステム情報を推定し、システム推定情報を出力するシステム情報推定部とを備え、前記第１の無線通信システムの基地局と通信を行う場合、前記第１の無線通信システムの基地局に、前記システム推定情報を報知することで、異なる無線通信システム間の切り換えを行う。
【００３９】
このことによって、本発明は、異なる無線通信システム間を、中継装置等を介して接続することなく効率良く切り換えることができる。また、基地局が新しく設置された場合にも、その無線通信システムのシステム情報を推定することにより、その基地局の存在を自律的に推定することができる。
【００４０】
本発明の移動局は、第１７に、第１６の発明において、前記移動局の位置情報を検出する位置検出部を備え、前記第１の無線通信システムの基地局と通信を行う場合、前記第１の無線通信システムの基地局に、前記システム推定情報および前記位置情報を報知することで、異なる無線通信システム間の切り換えを行う。
【００４１】
このことよって、本発明は、移動局が存在する位置で、通信可能な異なる無線通信システムに効率良く切り換えることができる。
【００４２】
本発明の移動局は、第１８に、第１７の発明において、前記位置検出部が絶対位置情報を検出する。
【００４３】
このことよって、本発明は、移動局が絶対位置情報を検出することができる。
【００４４】
本発明の移動局は、第１９に、第１７の発明において、前記位置検出部が前記基地局からの相対位置情報を検出する。
【００４５】
このことよって、本発明は、移動局が基地局からの相対位置情報を検出することができる。
【００４６】
本発明の移動局は、第２０に、第１の無線通信システムの基地局、および前記第１の無線通信システムの基地局が通信を行うセルに近接または重複するセルを有し前記第1の無線通信システムの基地局と非同期に動作する第２の無線通信システムの基地局の両方と通信可能である移動局であって、前記第１の無線通信システムおよび前記第２の無線通信システムのそれぞれの電波を受信する無線部と、前記第２の無線通信システムのシステム情報を推定し、システム推定情報を出力するシステム情報推定部と、前記システム情報推定部から出力された前記システム推定情報を記憶する記憶部とを備え、前記第１の無線通信システムの基地局と通信を行っていない場合、前記記憶部に前記システム推定情報を記憶しておき、前記第２の無線通信システムの基地局との通信が終了したとき、前記記憶部に
記憶された前記システム推定情報を前記第１の無線通信システムの基地局に報知することで、異なる無線通信システム間の切り換えを行う。
【００４７】
このことによって、本発明は、異なる無線通信システム間を、中継装置等を介して接続することなく効率良く切り換えることができる。また、基地局が新しく設置された場合にも、その無線通信システムのシステム情報を推定することにより、その基地局の存在を自律的に推定することができる。また、第１の無線通信システムの基地局と通信を行っていない場合、第２の無線通信システムのシステム情報を記憶部に記憶しておくことにより、第２の無線通信システムの基地局との通信が終了したとき、第１の無線通信システムへの切り換えを行うことができる。
【００４８】
本発明の移動局は、第２１に、第２０の発明において、前記移動局の位置情報を検出する位置検出部を備え、前記第１の無線通信システムの基地局と通信を行っていない場合、前記記憶部に前記システム推定情報を記憶しておき、前記第２の無線通信システムの基地局との通信が終了したとき、前記記憶部に記憶された前記システム推定情報および前記位置情報を前記第１の無線通信システムの基地局に報知することで、異なる無線通信システム間の切り換えを行う。
【００４９】
このことよって、本発明は、移動局が存在する位置で、通信可能な異なる無線通信システムに効率良く切り換えることができる。
【００５０】
本発明の移動局は、第２２に、第２１の発明において、前記位置検出部が絶対位置情報を検出する。
【００５１】
このことよって、本発明は、移動局が絶対位置情報を検出することができる。
【００５２】
本発明の移動局は、第２３に、第２１の発明において、前記位置検出部が前記基地局からの相対位置情報を検出する。
【００５３】
このことよって、本発明は、移動局が基地局からの相対位置情報を検出することができる。
【発明の効果】
【００５４】
本発明によれば、異なる無線通信システム間を、中継装置等を介して有線で接続することなく効率良く切り換えることができ、また新しく設置された無線通信システムを自律的に検出し、システム情報を提供することで複数の異なる無線通信システム間を効率良く切り換えることができる。
【発明を実施するための最良の形態】
【００５５】
以下、本発明の実施の形態について、図面を参照しながら説明する。
【００５６】
（実施の形態１）
本発明の実施の形態１は、無線通信システムの基地局が他の無線通信システムの存在を自律的に推定し、推定された他の無線通信システムの情報を自システムのセル内に報知する例である。
【００５７】
図１は、本発明の実施の形態１における無線通信システムの概略図である。図１において、移動局１０１は、第１の無線通信システムＡおよび第２の無線通信システムＢの両方と通信を行うことが可能である。無線通信システムＡの基地局１０４は、セル１０５内に存在する無線通信システムＡと通信可能な移動局と通信を行う。また、無線通信システム
Ｂの基地局１０６は、セル１０７内に存在する無線通信システムＢと通信可能な移動局と通信を行う。基地局１０４と基地局１０６とは、互いに有線や中継局等を介して接続されておらず、非同期に動作している。ここでは、無線通信システムＡは携帯電話のＣＤＭＡ方式、無線通信システムＢは携帯電話のＧＳＭ方式を例として説明する。セル１０５とセル１０７とは、近接または重複した位置関係にある。移動局１０１は、セル１０５とセル１０７とが重複する範囲に存在し、基地局１０４とは接続が確立しており、通信中または待ち受け状態にある。
【００５８】
図２は無線通信システムＡの基地局１０４の構成例を示す図である。図２において、基地局１０４は、移動局１０１との間で電波を送受信する無線部２０１と、無線部２０１で送受信される信号を制御する制御部２０２と、他の無線通信システムを推定する他システム推定部２０３とを備えている。無線部２０１および他システム推定部２０３は、制御部２０２を介して接続されている。他システム推定部２０３は、無線通信システムＢの基地局１０６から送信される電波を受信する他システム受信部２０４と、無線通信システムＢのシステム情報を推定するシステム情報推定部２０５と、システム情報推定部２０５の出力であるシステム推定情報２０６を記憶する記憶部２０７とを有している。他システム受信部２０４はシステム情報推定部２０５と接続されている。システム情報推定部２０５は記憶部２０７と接続されている。記憶部２０７は制御部２０２と接続されている。他システム受信部２０４は、無線通信システムＢの基地局１０６から送信される電波を受信し、受信信号をシステム情報推定部２０５に送る。
【００５９】
システム情報推定部２０５は、他システム受信部２０４から送られた受信信号の周波数帯、チャネル幅、スロット間隔、平均電力、ピークファクタ、ホッピングパターン等の情報から無線通信システムＢの存在を推定する。例えば、本実施の形態１では、無線通信システムＢをＧＳＭ方式としているので、受信信号の周波数帯は４５０ＭＨｚ帯、４８０ＭＨｚ帯、８５０ＭＨｚ帯、９００ＭＨｚ帯、１８００ＭＨｚ帯、および１９００ＭＨｚ帯のいずれかで、チャネル幅は２００ｋＨｚである。これらの情報をシステム情報推定部２０５の中にあらかじめ記憶しておき、システム情報推定部２０５は、受信信号がどの周波数帯に存在するかをスキャンし、受信信号の帯域幅を調べることで、無線通信システムＢがＧＳＭ方式か否かを推定できる。システム情報推定部２０５は、推定したシステムに関する情報をシステム推定情報２０６として出力し、記憶部２０７に入力する。システム推定情報２０６としては、例えば、推定した無線通信システムの通信方式（本実施の形態１の例ではＧＳＭ方式）、推定した無線通信システムが使用している周波数帯、基地局１０６が使用しているチャネル周波数等がある。記憶部２０７は、記憶しているシステム推定情報２０６を制御部２０２に転送する。制御部２０２は、記憶部２０７から転送されたシステム推定情報２０６を無線通信システムＡの基地局１０４が使用している報知チャネルを用いて無線部２０１により移動局１０１に報知する。このようにして、基地局１０４から、あらかじめ無線通信システムＢの基地局１０６についてのシステム推定情報２０６を受けた移動局１０１は、無線通信システムＡから無線通信システムＢに効率良く切り換えることができる。
【００６０】
また、基地局１０４は、無線通信システムＢの基地局が新しく設置された場合にも、新しく設置された無線通信システムＢの基地局の電波を受信し、システム情報を推定することにより、基地局の存在を自律的に推定することができる。
【００６１】
なお、システム推定情報２０６は、基地局１０４が使用している報知チャネルで伝送する以外に、上位層におけるアプリケーションのデータの一部として伝送しても良い。
【００６２】
なお、他システム受信部２０４は無線通信システムＢ以外の無線通信システムの電波を受信しても良い。また、システム情報推定部２０５は無線通信システムＢ以外のシステム
情報を推定しても良い。これらにより、無線通信システムＡの基地局１０４は、複数の無線通信システムの存在を報知することができる。
【００６３】
また、基地局１０４は、無線通信システムＢ以外の基地局が新しく設置された場合にも、新しく設置された無線通信システムＢ以外の基地局の電波を受信し、システム情報を推定することにより、基地局の存在を自律的に推定することができる。
【００６４】
なお、基地局とは、例えば、携帯電話用、無線ＬＡＮ用のアクセスポイント、または、それぞれの基地局が同程度のセルサイズを有する無線通信システム等である。
【００６５】
なお、無線部２０１および他システム受信部２０４は、１つのマルチモード無線部を用いて構成し、時分割等で移動局間の通信と他の無線通信システム推定とを行っても良い。この場合、例えば、無線通信システムＡでの通信がアイドル状態の間に、無線通信システムＢのスキャンを行う動作をすれば良い。
【００６６】
なお、基地局１０４におけるアンテナにセクタアンテナを設け、セクタ毎に他の無線通信システムを推定し、セクタ毎に他の無線通信システムのシステム推定情報を報知する構成としても良い。
【００６７】
なお、移動局が無線通信システムを切り換える際には、無線通信システムの料金、通信速度等を判断基準にしてユーザの判断により切り換えても良く、また無線通信システムの空きチャネル状況、消費電力を判断基準にして移動局自体で自動的に切り換えても良い。
【００６８】
以上のように、本実施の形態１は、無線通信システムＡの基地局が他の無線通信システムの基地局からの電波を受信し他の無線通信システムを推定することで、異なる無線通信システム間を、中継装置等を介して有線で接続することなく切り換えることができ、また新しく設置された無線通信システムの存在を推定し、異なる無線通信システム間を効率良く切り換えることができる。
【００６９】
（実施の形態２）
本実施の形態２は、通信を行うセルが広い無線通信システムＡ（例えば携帯電話等）と通信を行うセルが狭い無線通信システムＢ（例えば無線ＬＡＮ等）とが近接または重複するエリアにおいて、移動局が、通信を行った無線通信システムＢのシステム情報および通信を行った位置情報を無線通信システムＡの基地局に送信し、無線通信システムＡの基地局が、無線通信システムＢのシステム情報および位置情報をセル内に報知する例であり、以下に図３ないし図５を用いて説明する。
【００７０】
図３は本発明の実施の形態２における無線通信システムの概略図である。図３において、移動局３０１は、第１の無線通信システムＡおよび第２の無線通信システムＢの両方と通信を行うことが可能であり、また自己の現在位置を検出できる。無線通信システムＡの基地局３０２は、セル３０３内に存在する無線通信システムＡと通信可能な移動局３０１と通信を行う。また、無線通信システムＢの基地局３０４は、セル３０５内に存在する無線通信システムＢと通信可能な移動局３０１と通信を行う。基地局３０２と基地局３０４とは、互いに有線や中継局等を介して接続されておらず、非同期に動作している。ここでは、一例として、無線通信システムＢがＩＥＥＥ８０２．１１システムにおける無線ＬＡＮであるとする。セル３０５はセル３０３に比べ小さく、近接または重複する位置関係にある。
【００７１】
図４は、移動局３０１の構成例を示すブロック図である。図４において、移動局３０１は、無線通信システムＡと通信可能である第１の無線部４０１と、無線通信システムＢと
通信可能である第２の無線部４０２と、自己の現在位置を検出できる位置検出部４０３と、システム情報検出部４０５および記憶部４０６を内包した制御部４０４とを備えている。第１の無線部４０１および第２の無線部４０２は、システム情報検出部４０５および記憶部４０６にそれぞれ接続されている。位置検出部４０３は、記憶部４０６に接続されている。位置検出部４０３は、ＧＰＳによる絶対位置の検出、または、無線通信システムＡの複数の基地局からの遅延量等による相対位置の検出等を行う。
【００７２】
移動局３０１が無線通信システムＢの基地局３０４と接続が確立しているときは、第２の無線部４０２で受信した信号をシステム情報検出部４０５に入力する。システム情報検出部４０５は入力された受信信号から、基地局３０４のＳＳＩＤ（サービスセット識別子、ネットワークを識別するキー）、モード（インフラストラクチャモードまたはアドホックモード等）等のシステム情報を検出し記憶部４０６に出力する。記憶部４０６は、出力されたシステム情報とシステム情報出力時の位置検出部４０３の出力である位置情報とを併せた情報をシステム検出情報として記憶する。
【００７３】
移動局３０１が、無線通信システムＢの基地局３０４と通信中であり、かつ無線通信システムＡの基地局３０２に対して待ち受け状態であるときは、制御部４０４は、記憶部４０６からシステム検出情報を第１の無線部４０１に出力し、基地局３０２の制御チャネルを使用して基地局３０２に送信する。
【００７４】
また、移動局３０１が、無線通信システムＢの基地局３０４と通信中であり、かつ無線通信システムＡの基地局３０２と通信を全く行っていないときは、記憶部４０６は、システム検出情報を記憶しておく。移動局３０１が無線通信システムＢの基地局３０４と通信を終了し、無線通信システムＡの基地局３０２と接続を確立したときに、制御部４０４は、記憶部４０６に記憶されたシステム検出情報を第１の無線部４０１に出力し、基地局３０２の制御チャネルを使用して基地局３０２に送信する。
【００７５】
図５は、無線通信システムＡの基地局３０２の構成例を示す図である。図５において、基地局３０２は、移動局３０１との間で電波を送受信する無線部５０１と、記憶部５０３を有し無線部５０１が送受信する信号を制御する制御部５０２とを備えている。記憶部５０３は、移動局３０１から送信されたシステム検出情報を記憶する。
【００７６】
移動局３０１が、無線通信システムＡの基地局３０２と接続を確立し、かつ無線通信システムＢの基地局３０４と通信を全く行っていないときは、制御部４０４は、基地局３０２の制御チャネルを使用して位置情報を基地局３０２に送信する。制御部５０２は、送信された位置情報をもとに、記憶部５０３から位置情報に合うシステム検出情報を検索し、移動局３０１が存在する位置における無線通信システムＢのシステム情報を報知する。無線通信システムＡの基地局３０２から、あらかじめ無線通信システムＢの基地局３０４についてのシステム検出情報を受けた移動局３０１は、無線通信システムＡから無線通信システムＢに効率良く切り換えることができる。
【００７７】
また、移動局３０１は、無線通信システムＢの基地局が新しく設置された場合にも、新しく設置された無線通信システムＢの基地局と通信を行い、システム情報を検出することにより、基地局の存在を自律的に検出することができ、基地局３０２は、新しく設置された基地局のシステム検出情報を記憶部５０３に自律的に蓄積することができる。
【００７８】
なお、基地局３０２が複数の移動局からシステム検出情報を得ることにより、基地局３０２の記憶部５０３には基地局３０４が通信を行うセル３０５の範囲を正確に記憶でき、無線システムＢの存在情報をより正確に報知することができる。
【００７９】
なお、この例では無線通信システムＢの基地局３０４のシステム情報を無線通信システムＡで報知する場合について説明したが、逆に無線通信システムＡの基地局３０２のシステム情報を無線通信システムＢで報知しても良い。
【００８０】
なお、移動局３０１の第１の無線部４０１および第２の無線部４０２は、無線通信システムＡおよび無線通信システムＢ以外の無線通信システムの電波を送受信しても良い。また、システム情報検出部４０５は無線通信システムＢ以外の無線通信システムのシステム情報を検出し、複数の無線通信システムのシステム情報を出力しても良い。これにより、無線通信システムＡの基地局３０２は、複数の無線通信システムの存在を報知することができる。
【００８１】
また、移動局３０１は、新しく設置された無線通信システムＢ以外の基地局の存在を自律的に検出することができ、基地局３０２は、新しく設置された基地局のシステム検出情報を記憶部５０３に自律的に蓄積することができる。
【００８２】
なお、第１の無線部４０１および第２の無線部４０２は、１つのマルチモード無線部により構成し、時分割等で無線通信システムＡおよび無線通信システムＢにアクセスしても良い。
【００８３】
なお、システム検出情報は、制御チャネルを用いて伝送する以外に、上位層におけるアプリケーションのデータの一部を用いて伝送しても良い。またこのとき、基地局３０２からセル３０３内全体における他の無線通信システムのシステム情報をアプリケーションのデータの一部として伝送し、移動局３０１において移動局３０１が存在する位置情報をもとに他の無線通信システムのシステム情報を検索しても良い。
【００８４】
なお、移動局が無線通信システムを切り換える際には、無線通信システムの料金、通信速度等を判断基準にしてユーザの判断により切り換えても良く、また無線通信システムの空きチャネル状況、消費電力を判断基準にして移動局自体で自動的に切り換えても良い。
【００８５】
以上のように、本実施の形態２では、移動局が他の無線通信システムの基地局からの電波を受信し他の無線通信システムのシステム情報を検出し、無線通信システムＡの基地局にシステム検出情報を送信することで、異なる無線通信システム間を、中継装置等を介して有線で接続することなく切り換えることができ、また新しく設置された無線通信システムの存在を自律的に検出でき、異なる無線通信システム間を効率良く切り換えることができる。
【００８６】
（実施の形態３）
本実施の形態３は、無線通信システムＡと通信中の移動局が、他の無線通信システムの存在を自律的に推定し、推定した他の無線通信システムの情報を無線通信システムＡの基地局に送信し、無線通信システムＡの基地局が無線通信システムＢのシステム情報をセル内に報知する例であり、以下に図６ないし図８を用いて説明する。
【００８７】
図６は本発明の実施の形態３における無線通信システムの概略図である。図６において、移動局６０１は、第１の無線通信システムＡおよび第２の無線通信システムＢの両方と通信を行うことが可能である。無線通信システムＡの基地局１０８は、セル１０５内に存在する無線通信システムＡと通信可能な移動局６０１と通信を行う。無線通信システムＢの基地局１０６は、セル１０７内に存在する無線通信システムＢと通信可能な移動局６０１と通信を行う。基地局１０８と基地局１０６とは、互いに有線や中継局等を介して接続されておらず、非同期に動作している。ここでは、無線通信システムＡとして携帯電話のＣＤＭＡ方式、無線通信システムＢとして携帯電話のＧＳＭ方式を例にとって説明する。
セル１０５とセル１０７とは、近接または重複した位置関係にある。移動局６０１は、セル１０５とセル１０７とが重複する範囲に存在し、基地局１０８と接続が確立しており、通信中である。
【００８８】
図７は、移動局６０１の構成例を示すブロック図である。図７において、移動局６０１は、無線通信システムＡと通信可能である第１の無線部６０２と、無線通信システムＢと通信可能である第２の無線部６０３と、自己の現在位置が検出できる位置検出部６０４と、システム情報推定部６０６および記憶部６０７を内包した制御部６０５とを備えている。第１の無線部６０２および第２の無線部６０３は、システム情報推定部６０６および記憶部６０７にそれぞれ接続されている。位置検出部６０４は、記憶部６０７に接続されている。位置検出部６０４は、ＧＰＳによる絶対位置検出、または、無線通信システムＡの複数の基地局からの遅延量等による相対位置検出等を行う。移動局６０１は、基地局１０８と通信中でも、第２の無線部６０３から基地局１０６の電波を受信することができる。なお、第２の無線部６０３は、常に受信状態である必要はなく、ある間隔をおいて受信状態になってもよい。
【００８９】
システム情報推定部６０６は、基地局１０６から送られた受信信号の周波数帯、チャネル幅、スロット間隔、平均電力、ピークファクタ、ホッピングパターン等の情報から無線通信システムＢの存在を推定する。例えば、本実施の形態３では、無線通信システムＢをＧＳＭ方式としているので、使用される周波数帯は４５０ＭＨｚ帯、４８０ＭＨｚ帯、８５０ＭＨｚ帯、９００ＭＨｚ帯、１８００ＭＨｚ帯および１９００ＭＨｚ帯のいずれかで、チャネル幅は２００ｋＨｚである。これらの情報をシステム情報推定部６０６の中にあらかじめ記憶しておく。システム情報推定部６０６は、受信信号がどの周波数帯に存在するかをスキャンし、受信信号の帯域幅を調べることで無線通信システムＢがＧＳＭ方式か否かを推定できる。システム情報推定部６０６は、推定したシステムに関するシステム情報を記憶部６０７に出力する。具体的なシステム情報としては、推定した無線通信システムの通信方式（本実施の形態３の例ではＧＳＭ方式）、推定した無線通信システムが使用している周波数帯、基地局１０６が使用しているチャネル周波数等がある。記憶部６０７は、出力されたシステム情報とシステム情報出力時の位置検出部４０３の出力である位置情報とを併せた情報をシステム推定情報として記憶する。
【００９０】
移動局６０１が、無線通信システムＢの基地局１０６と通信中であり、かつ無線通信システムＡの基地局１０８に対して待ち受け状態であるときは、制御部６０５は、記憶部６０７からシステム推定情報を第１の無線部６０２に出力し、基地局１０８の制御チャネルを使用して基地局１０８に送信する。
【００９１】
また、移動局６０１が、無線通信システムＢの基地局１０６と通信中であり、かつ無線通信システムＡの基地局１０８と通信を全く行っていないときは、記憶部６０７は、システム推定情報を記憶しておき、移動局６０１が無線通信システムＢの基地局１０６と通信を終了し、無線通信システムＡの基地局１０８と接続を確立したときに、制御部６０５は、記憶部６０７に記憶されたシステム推定情報を第１の無線部６０２に出力し、基地局１０８の制御チャネルを使用して基地局１０８に送信する。
【００９２】
図８は、無線通信システムＡの基地局１０８の構成例を示す図である。図８において、基地局１０８は、移動局６０１との間で電波を送受信する無線部６０８と、記憶部６１０を有し無線部６０８が送受信する信号を制御する制御部６０９とを備えている。記憶部６１０は、移動局６０１から送信されたシステム推定情報および位置情報を記憶する。基地局１０８は、記憶部６１０に記憶されたシステム推定情報を無線部６０８から、セル１０５内に存在する移動局６０１に報知する。これにより、あらかじめシステム推定情報を受信した移動局６０１は、無線通信システムＡから無線通信システムＢに効率良く切り換え
ることができる。
【００９３】
また、移動局６０１は、無線通信システムＢの基地局が新しく設置された場合にも、新しく設置された無線通信システムＢの基地局の電波を受信し、システム情報を推定することにより、自律的に基地局の存在を推定することができ、基地局１０８は、自律的に新しく設置された基地局のシステム推定情報を記憶部６１０に蓄積することができる。
【００９４】
なお、この例では無線通信システムＢの基地局１０６のシステム推定情報を無線通信システムＡで報知する場合について説明したが、逆に無線通信システムＡの基地局１０８のシステム推定情報を無線通信システムＢで報知しても良い。
【００９５】
なお、第１の無線部６０２および第２の無線部６０３は、無線通信システムＡおよび無線通信システムＢ以外の無線通信システムの電波を送受信しても良い。また、システム情報推定部６０６は、無線通信システムＢ以外の無線通信システムのシステム情報を推定し、複数の無線通信システムのシステム推定情報を出力しても良い。これにより、無線通信システムＡの基地局１０８は複数の無線通信システムの存在を報知することができる。
【００９６】
また、移動局６０１は、新しく設置された無線通信システムＢ以外の基地局の存在を自律的に推定することができ、基地局１０８は、新しく設置された基地局のシステム推定情報を自律的に蓄積することができる。
【００９７】
なお、無線部６０２および無線部６０３は、１つのマルチモード無線部により構成し、時分割等で無線通信システムＡおよび無線通信システムＢにアクセスしても良い。
【００９８】
なお、システム推定情報は、上位層におけるアプリケーションのデータの一部を用いて伝送しても良い。
【００９９】
なお、移動局が無線通信システムを切り換える際には、無線通信システムの料金、通信速度等を判断基準にしてユーザの判断により切り換えても良く、また無線通信システムの空きチャネル状況、消費電力を判断基準にして移動局が自動的に切り換えても良い。
【０１００】
以上のように、本実施の形態３は、移動局が他の無線通信システムの基地局からの電波を受信し他の無線通信システムのシステム情報を推定し、無線通信システムＡの基地局にシステム推定情報を送信することで、異なる無線通信システム間を、中継装置等を介して有線で接続することなく切り換えることができ、また新しく設置された無線通信システムの存在を自律的に推定でき、異なる無線通信システム間を効率良く切り換えることができる。
【産業上の利用可能性】
【０１０１】
本発明は、異なる無線通信システム間を、中継装置等を介して有線で接続することなく切り換えることができ、また新しく設置された無線通信システムの存在を得、異なる無線通信システム間を効率良く切り換えることができるという効果を有し、無線通信システム、基地局および移動局として有用である。
【図面の簡単な説明】
【０１０２】
【図１】本発明の実施の形態１における無線通信システムの概略図
【図２】本発明の実施の形態１における無線通信システムＡの基地局の構成例を示すブロック図
【図３】本発明の実施の形態２における無線通信システムの概略図
【図４】本発明の実施の形態２における移動局の構成例を示すブロック図
【図５】本発明の実施の形態２における無線通信システムＡの基地局の構成例を示すブロック図
【図６】本発明の実施の形態３における無線通信システムの概略図
【図７】本発明の実施の形態３における移動局の構成例を示すブロック図
【図８】本発明の実施の形態３における無線通信システムＡの基地局の構成例を示すブロック図
【図９】従来の無線通信システムの概略図
【符号の説明】
【０１０３】
１０１  移動局
１０４  無線通信システムＡの基地局
１０５  無線通信システムＡのセル
１０６  無線通信システムＢの基地局
１０７  無線通信システムＢのセル
２０１  無線部
２０２  制御部
２０３  他システム推定部
２０４  他システム受信部
２０５  システム情報推定部
２０６  システム推定情報
２０７  記憶部
３０１  移動局
３０２  無線通信システムＡの基地局
３０３  無線通信システムＡのセル
３０４  無線通信システムＢの基地局
３０５  無線通信システムＢのセル
４０１  第１の無線部
４０２  第２の無線部
４０３  位置検出部
４０４  制御部
４０５  システム情報検出部
４０６  記憶部
５０１  無線部
５０２  制御部
５０３  記憶部
６０１  移動局
６０２  第１の無線部
６０３  第２の無線部
６０４  位置検出部
６０５  制御部
６０６  システム情報推定部
６０７  記憶部
【図１】
2005130473.tif 000003
【図２】
2005130473.tif 000004
【図３】
2005130473.tif 000005
【図４】
2005130473.tif 000006
【図５】
2005130473.tif 000007
【図６】
2005130473.tif 000008
【図７】
2005130473.tif 000009
【図８】
2005130473.tif 000010
【図９】
2005130473.tif 000011